(57)【要約】  無線通信技術に関するユーザ端末におけるトラッキング・エリア・リストの割り当て方法は、ネットワークとＵＥの間のシグナリング相互作用の量を減少できるため、ネットワークリソースの利用率が高まるようになる。当該方法は、受信ユーザ端末が予めの制限により送信したエリア標識を受信するステップと、最新のトラッキング・エリア・リストを割り当てたモビリティ制御エンティティから、当該最新のトラッキング・エリア・リストを割り当てる際の履歴情報を取得するステップと、前記取得した履歴情報と前記受信したエリア標識により、前記ユーザ端末に対して新たなトラッキング・エリア・リストを割り当てるステップとを含む。又、それに応じて、モビリティ制御エンティティとユーザ端末も公開された。
2010536282.tif 000002
【特許請求の範囲】
【請求項１】
ユーザ端末が予めの制限により送信したエリア標識を受信するステップと、
最新のトラッキング・エリア・リストを割り当てるモビリティ制御エンティティから、当該最新のトラッキング・エリア・リストを割り当てる際の履歴情報を取得するステップと、
取得した履歴情報と前記受信したエリア標識により、前記ユーザ端末に新たなトラッキング・エリア・リストを割り当てるステップと
を含むことを特徴とするユーザ端末におけるトラッキング・エリア・リストの割り当て方法。
【請求項２】
前記新たなトラッキング・エリア・リストを割り当てるプロセスは、
ユーザ端末が現在所在するエリアのエリア標識及び前記受信したエリア標識により、ユーザ端末の移動方向を確定するステップと、
取得した履歴情報によりユーザ端末の移動スピードを概算するステップと、
確定されたユーザ端末の移動方向及び概算されたユーザ端末の移動スピードにより、ユーザ端末に新たなトラッキング・エリア・リストを割り当てるステップと
を含むことを特徴とする請求項１記載のユーザ端末におけるトラッキング・エリア・リストの割り当て方法。
【請求項３】
前記ユーザ端末が予めの制限により送信されたエリア標識は、最新トラッキング・エリア・リストがカバーするエリアを最後に訪問する際の所在エリアのエリア標識であることを特徴とする請求項１又は２記載のユーザ端末におけるトラッキング・エリア・リストの割り当て方法。
【請求項４】
前記ユーザ端末が最新トラッキング・エリア・リストがカバーするエリア内で移動する際、毎回の所在エリアのエリア標識を記憶・更新することを特徴とする請求項３に記載のユーザ端末におけるトラッキング・エリア・リストの割り当て方法。
【請求項５】
前記ユーザ端末は、毎回の所在エリアのエリア標識を自身の加入者識別モジュール、又は、自身の非揮発性記憶装置に記憶させることを特徴とする請求項４記載のユーザ端末におけるトラッキング・エリア・リストの割り当て方法。
【請求項６】
前記履歴情報は、最新トラッキング・エリア・リストを割り当てる際の割り当て時刻と、最新トラッキング・エリア・リストを割り当てる際のユーザ端末が所在するエリアのエリア標識とを含むことを特徴とする請求項２に記載のユーザ端末におけるトラッキング・エリア・リストの割り当て方法。
【請求項７】
前記履歴情報によりユーザ端末のスピードを概算するプロセスは、
現在の時刻と最新トラッキング・エリア・リストを割り当てる際の時刻の時間間隔を計算するステップと、
ユーザ端末の現在所在するエリアのエリア標識及び、最新トラッキング・エリア・リストを割り当てる際のユーザ端末が所在するエリアのエリア標識により、ユーザ端末の現在所在するエリアと最新トラッキング・エリア・リストを割り当てる際のユーザ端末が所在するエリアの距離を計算するステップと、
算出された時間間隔と距離により、ユーザ端末の移動スピードを概算するステップと
を含むことを特徴とする請求項６に記載のユーザ端末におけるトラッキング・エリア・リストの割り当て方法。
【請求項８】
前記履歴情報はユーザ端末に割り当てられた最新のトラッキング・エリア・リストを更に含むことを特徴とする請求項７記載のユーザ端末におけるトラッキング・エリア・リストの割り当て方法。
【請求項９】
前記取得された履歴情報によりユーザ端末の移動スピードを概算するプロセスは、
前記算出された時間間隔が所定の時間間隔より小さいであるかどうかを判断するステップと、
前記算出された時間間隔が所定の時間間隔より小さい場合、ユーザ端末に割り当てられた最新トラッキング・エリア・リストに基づいて、ユーザ端末の移動スピードを調整する重み付け因子を確定するステップと、
前記確定された重み付け因子により概算されたユーザ端末の移動スピードを調整するステップと
を更に含むことを特徴とする請求項８記載のユーザ端末におけるトラッキング・エリア・リストの割り当て方法。
【請求項１０】
前記所定の時間間隔はＮ＊ＭＲＣ＿Ｔｉｍｅｒであり、そのうち、Ｎは自然数、ＭＲＣ＿ＴｉｍｅｒはＵＥの到達可能タイマーが設定した時刻パレメターであることを特徴をする請求項９に記載のユーザ端末におけるトラッキング・エリア・リストの割り当て方法。
【請求項１１】
最新トラッキング・エリア・リストを割り当てるモビリティ制御エンティティにより、ユーザ端末に最新トラッキング・エリア・リストを割り当てた後、割り当てる際の履歴情報を前記ユーザ端末に対応するユーザコンテクスト情報に記憶させることを特徴とする請求項１，２，６、又は８のいずれかに記載のユーザ端末におけるトラッキング・エリア・リストの割り当て方法。
【請求項１２】
ユーザ端末は新たに割り当てられたトラッキング・エリア・リストを揮発性記憶装置又は非揮発性記憶装置に記憶させ、ユーザが接続解除又はシャットダウンした後、ユーザ端末は前記トラッキング・エリア・リストを無効状態に標識又は削除することを特徴とする請求項１に記載のユーザ端末におけるトラッキング・エリア・リストの割り当て方法。
【請求項１３】
ユーザ端末が予めの制限により送信されたトラッキング・エリア標識を受信するエリア標識受信ユニットと、
最新トラッキング・エリア・リストを割り当てるモビリティ制御エンティティから、当該最新トラッキング・エリア・リストを割り当てる際の履歴情報を取得する履歴情報取得ユニットと、
前記取得された履歴情報と前記受信したトラッキング・エリア標識により、前記ユーザ端末に新たなトラッキングリストを割り当てるエリア・リスト割り当てユニットと
を含むことを特徴とするモビリティ制御エンティティ。
【請求項１４】
前記エリア・リスト割り当てユニットは、
ユーザ端末が現在所在するエリアのエリア標識及び、ユーザ端末から送信されたエリア標識により、ユーザ端末の移動方向を確定することに用いられるサブユニットと、
取得された履歴情報によりユーザ端末の移動スピードを概算することに用いられるサブユニットと、
確定されたユーザ端末の移動方向及び、概算されたユーザ端末の移動スピードにより、ユーザ端末に新たなラッキング・エリア・リストを割り当てることに用いられるサブユニットと
を含むことを特徴とする請求項１３に記載のモビリティ制御エンティティ。
【請求項１５】
前記履歴情報取得ユニットが取得した履歴情報は、最新トラッキング・エリア・リストを割り当てる際の割り当て時刻及び、最新トラッキング・エリア・リストを割り当てる際のユーザ端末が所在するエリアのエリア標識を含むことを特徴とする請求項１４に記載のモビリティ制御エンティティ。
【請求項１６】
前記取得された履歴情報によりユーザ端末の移動スピードを概算するサブユニットは、
現在時刻と最新トラッキング・エリア・リストを割り当てる際の割り当て時刻の時間間隔を計算するサブユニットと、
ユーザ端末の現在所在するエリア標識及び、最新トラッキング・エリア・リストを割り当てる際にユーザ端末が所在するエリアのエリア標識により、ユーザ端末の現在所在するエリアと最新トラッキング・エリア・リストを割り当てる際のユーザ端末が所在するエリアの距離を計算するサブユニットと、
算出された時間間隔と距離によりユーザ端末の移動スピードを概算するサブユニットと
を含むことを特徴とする請求項１５に記載のモビリティ制御エンティティ。
【請求項１７】
前記履歴情報取得ユニットが取得した履歴情報はユーザ端末に割り当てた最新トラッキング・エリア・リストを含むことを特徴とする請求項１６に記載のモビリティ制御エンティティ。
【請求項１８】
前記取得された履歴情報によりユーザ端末の移動スピードを概算するサブユニットは、
前記算出された時間間隔が所定の時間間隔より小さいかどうかを判定することに用いられるサブユニットと、
算出された時間間隔が所定の時間間隔より小さい場合、ユーザ端末に割り当てられた最新トラッキング・エリア・リストに基づいてユーザ端末の移動スピードを調整する重み付け因子を確定することに用いられるサブユニットと、
前記確定された重み付け因子により概算されたユーザ端末の移動スピードを調整することに用いられるサブユニットと
を含むことを特徴とする請求項１７に記載のモビリティ制御エンティティ。
【請求項１９】
ユーザ端末の現在所在するエリアのエリア標識及び、モビリティ制御エンティティにより割り当てられたトラッキング・エリア・リストを受信する受信ユニットと、
受信ユニットが受信したトラッキング・エリア・リストにより、モビリティ制御エンティティが割り当てたトラッキング・エリア・リストを記憶・更新するエリア・リスト情報記憶・更新ユニットと、
ユーザ端末が割り当てられた最新トラッキング・エリア・リストがカバーするエリア内で移動する際、受信ユニットが毎回に受信したエリア標識によりユーザ端末の現在所在するエリアのエリア標識を記憶・更新するエリア標識記憶・更新ユニットと、
モビリティ制御エンティティに前記エリア標識記憶・更新ユニットに記憶・更新されたエリア標識を送信する送信ユニットと
を含むことを特徴とするユーザ端末。
【請求項２０】
前記エリア標識記憶・更新ユニットは非揮発性記憶装置において前記エリア標識を記憶・更新することを特徴とする請求項１９に記載のユーザ端末。
【請求項２１】
前記エリア・リスト情報記憶・更新ユニットは、
前記トラッキング・エリア・リストを揮発性記憶装置又は非揮発性記憶装置に記憶するサブユニットと、
前記ユーザ端末が接続解除又はシャットダウンする際、前記揮発性記憶装置又は非揮発性記憶装置に記憶された前記トラッキング・エリア・リストを無効状態に標識又は削除するサブユニットと
を含むことを特徴とする請求項１９に記載のユーザ端末。
【発明の詳細な説明】
【技術分野】
【０００１】
本発明は、通信領域における無線通信技術に係り、特にユーザ端末におけるトラッキング・エリア・リストの割り当て方法、モビリティ制御エンティティ及びユーザ端末に関する。
【背景技術】
【０００２】
移動通信システムにおいて、ユーザ端末（ＵＥ、Ｕｓｅｒ  Ｅｑｕｉｐｍｅｎｔ）に対するモビリティ制御（Ｍｏｂｉｌｉｔｙ  Ｍａｎａｇｅｍｅｎｔ）は移動通信ネットワークの基礎であり、なくではならないロジック機能である。
【０００３】
モビリティ制御を行う際、ＵＥに対してアドレッシングと標識するため、コア・ネットワーク（ＣＮ、 Ｃｏｒｅ  Ｎｅｔｗｏｒｋ）はネットワークをロジックアーキテクチャ上で一連のエリアに分割し、各エリアに独立の標識を割り当てる。異なる割り当ての根拠により、ネットワークを異なるエリアに分割できる。例えば、トラッキング・エリア（ＴＡ、Ｔｒａｃｋｉｎｇ  Ａｒｅａ）、或いはルーティング・エリア（ＲＡ、Ｒｏｕｔｉｎｇ  Ａｒｅａ）に分割でき、それぞれトラッキング・エリア標識（ＴＡ  ＩＤ、Ｔｒａｃｋｉｎｇ  Ａｒｅａ  Ｉｄｅｎｔｉｔｙ）、或いはルーティング・エリア標識（ＲＡ ＩＤ、Ｒｏｕｔｉｎｇ  Ａｒｅａ Ｉｄｅｎｔｉｔｙ）に対応する。
【０００４】
以下、ＴＡの例を挙げてエリアに関連する部分を簡潔に説明する。
【０００５】
ＵＥがネットワークにアタッチされた後、ＣＮはＵＥに一定なエリア（ＴＡ  ＩＤで表示）を割り当てる。ＵＥは現在の割り当てられたエリアを離れて、割り当てられていないエリアに移動する際、ネットワーク側に対してＴＡ更新を行う。
【０００６】
ＣＮにおいて、モビリティ制御エンティティ（ＭＭＥ、Ｍｏｂｉｌｉｔｙ  Ｍａｎａｇｅｍｅｎｔ Ｅｎｔｉｔｙ）はＵＥに対してモビリティ制御を行う。ＭＭＥは移動通信交換局（ＭＳＣ、Ｍｏｂｉｌｅ  Ｓｗｉｔｃｈｉｎｇ  Ｃｅｎｔｅｒ）、サービングＧＰＲＳサポートノード（ＳＧＳＮ、Ｓｅｒｖｉｎｇ  ＧＰＲＳ  Ｓｕｐｐｏｒｔ  Ｎｏｄｅ）、または第3世代パートナーシップ・プロジェクト（３ＧＰＰ、Ｔｈｉｒｄ  Ｇｅｎｅｒａｔｉｏｎ  Ｐａｒｔｎｅｒｓｈｉｐ  Ｐｒｏｊｅｃｔ）における進化型パケットシステム（ＥＰＳ、Ｅｖｏｌｖｅｄ  Ｐａｃｋｅｔ  Ｓｙｓｔｅｍ）のコア・ネットワークの非アクセス層にあるシグナリングの終点ノードを含むが、それに限定されない。
【０００７】
ＣＮにはそれぞれと一定のエリアを管理する複数のＭＭＥが含まれている。。即ち、各々のＭＭＥの管理エリアは有限であり、ＵＥは現在のＭＭＥに割り当てられたエリアに限らず、現在のＭＭＥの全ての管理エリアも離れる可能性もある。
【発明の概要】
【発明が解決しようとする課題】
【０００８】
従来の第三世代（３Ｇ）移動通信システムにおいて、ＭＭＥはＵＥにＴＡ  ＩＤ一つだけ（即ち一つのＴＡ）を割り当てるため、ＵＥが高速移動する際、短時間に多数のＴＡを経由し、複数回のＴＡ更新がが起きるようになる。そうなると、ネットワークとＵＥの間のシグナリング相互作用が大幅に増え、ネットワークリソースの浪費を招いてしまう。
【０００９】
以上を踏まえ、３ＧＰＰ進化型パケットシステム（ＥＰＳ、Ｅｖｏｌｖｅｄ  Ｐａｃｋｅｔ  Ｓｙｓｔｅｍ）において、ＭＭＥはＵＥに複数のＴＡ  ＩＤが含まれたＴＡリスト（ＴＡ Ｌｉｓｔ）を割り当てる。当該リストに複数のＴＡ  ＩＤが含まれ、ＵＥに割り当てるトラッキング・エリア範囲が拡大されたため、ＵＥが移動する時のＴＡの更新回数が減り、ネットワークリソースの利用率が上げられた。
【００１０】
ＵＥにＴＡ Ｌｉｓｔを割り当てる際、ＭＭＥはできるだけＵＥの移動先になるエリアを判断し、ＵＥに適当なＴＡ Ｌｉｓｔを割り当てる。これはＵＥが高速移動する中に発生された位置更新の回数をできるだけ減らすためである。
【００１１】
しかし現在のＭＭＥはＵＥから送信された元のＴＡ Ｌｉｓｔ中の一つのＴＡ  ＩＤにより、ＵＥに新たなＴＡ Ｌｉｓｔを割り当てるので、ＭＭＥがＵＥに一つの適当的なＴＡ Ｌｉｓｔを割り当てることには十分ではない。ＭＭＥがＵＥに割り当てるエリアが適当ではない可能性があるため、ＵＥが高速移動中の複数回の更新が依然として発生され、ネットワークとＵＥの間のシグナリング相互作用が大量に存在し、ネットワーク処理リソースの浪費問題が相変わらず存在している。
【００１２】
本発明は以上のような課題に鑑みてなされたものであり、ネットワークとＵＥの間のシグナリング相互作用の量を減らし、ネットワークリソースの利用率を向上させるユーザー端末におけるトラッキング・エリア・リストの割り当て方法及び装置を提供する。
【課題を解決するための手段】
【００１３】
本発明に提供されたユーザ端末におけるトラッキング・エリア・リストの割り当て方法は、
ユーザ端末が予めの制限により送信したエリア標識を受信するステップと、
最新のトラッキング・エリア・リストを割り当てるモビリティ制御エンティティから、当該最新のトラッキング・エリア・リストを割り当てる際の履歴情報を取得するステップと、
取得した履歴情報と前記受信したエリア標識により、前記ユーザ端末に新たなトラッキング・エリア・リストを割り当てるステップと
を含む。
【００１４】
本発明により提供されたモビリティ制御エンティティは、
ユーザ端末が予めの制限により送信されたトラッキング・エリア標識を受信するエリア標識受信ユニットと、
最新トラッキング・エリア・リストを割り当てるモビリティ制御エンティティから、当該最新トラッキング・エリア・リストを割り当てる際の履歴情報を取得する履歴情報取得ユニットと、
前記取得された履歴情報と前記受信したトラッキング・エリア標識により、前記ユーザ端末に新たなトラッキングリストを割り当てるエリア・リスト割り当てユニットと
を含む。
【００１５】
本発明により提供されたユーザ端末は、ユーザ端末の現在所在するエリアのエリア標識及び、モビリティ制御エンティティにより割り当てられたトラッキング・エリア・リストを受信する受信ユニットと、
受信ユニットが受信したトラッキング・エリア・リストにより、モビリティ制御エンティティが割り当てたトラッキング・エリア・リストを記憶・更新するエリア・リスト情報記憶・更新ユニットと、
ユーザ端末が割り当てられた最新トラッキング・エリア・リストがカバーするエリア内で移動する際、受信ユニットが毎回に受信したエリア標識によりユーザ端末の現在所在するエリアのエリア標識を記憶・更新するエリア標識記憶・更新ユニットと、
モビリティ制御エンティティに前記エリア標識記憶・更新ユニットに記憶・更新されたエリア標識を送信する送信ユニットと
を含む。
【発明の効果】
【００１６】
本発明に係る実施形態は、ＵＥに最新のＴＡ Ｌｉｓｔを割り当てる際の履歴情報を、当該ＴＡ ＬｉｓｔのＭＭＥに記憶されたＵＥ Ｃｏｎｔｅｘｔの中に追加させること及び、ＵＥが特定のＴＡ  ＩＤを新たなＴＡ Ｌｉｓｔを割り当てるＭＭＥに送信することを制限することにより、新たなＴＡ Ｌｉｓｔを割り当てる際、当該履歴情報及び当該ＴＡ  ＩＤに基づき、適切にＵＥの移動方向と移動スピードを概算できるようになる。更に、ネットワークとＵＥの間のシグナリング相互作用量を減らす一方、ネットワークリソースの利用率を向上させるため、ＵＥに適当なＴＡ Ｌｉｓｔを割り当てる。
【図面の簡単な説明】
【００１７】
【図１】本発明の実施形態に係るＴＡ Ｌｉｓｔを示した図である。
【図２】本発明の実施形態に係るＭＭＥの構造を示した図である。
【図３】本発明の実施形態に係るＵＥの構造を示した図である。
【発明を実施するための形態】
【００１８】
背景技術の分析から分かるように、ＵＥにより適当なトラッキング・エリア・リストを割り当てるため、ＭＭＥはできるだけＵＥの次の移動先であるエリアと移動スピードを概算する必要がある。しかし、従来のＭＭＥがＵＥから受信した一つのＴＡ  ＩＤしか頼らないため、ＵＥの次の移動エリアと移動スピードを概算するには遥かに不足であり、ＵＥに適当なトラッキング・エリア・リストを割り当てる要望に応えないなくなる。本発明の実施形態は、ＭＭＥとＵＥの中にそれぞれ最新のＴＡ Ｌｉｓｔを割り当てた際の履歴情報が記憶されることにより、ＭＭＥがＵＥの次の移動エリアと移動スピードを概算するようにして、ＵＥにより適当なトラッキング・エリア・リストを割り当てる。そうすると、ＵＥが高速移動中に発生したＵＥとネットワーク側のシグナリング相互作用の量を減らし、ネットワークリソースの利用率を向上させることができるようになる。。
【００１９】
好ましくは、ＵＥに最新トラッキング・エリア・リストを割り当てるＭＭＥをＭＭＥ１とし、ＵＥに後続のトラッキング・エリア・リストを割り当てるＭＭＥをＭＭＥ２とすれば、ＭＭＥ１とＭＭＥ２は物理的に同一のＭＭＥエンティティであっても良いし、異なるＭＭＥエンティティであっても良い。モビリティ制御プロセス（例えばＴＡ更新、接続（Ａｔｔａｃｈ）などのプロセス）において、ＵＥがＭＭＥ２に接続された際、ＵＥは現在所在するトラッキング・エリア・リスト中の一つのＴＡ ＩＤをＭＭＥ２に提供する。ＭＭＥ２はＵＥにより提供したＴＡ ＩＤを受信し、且つ、ＭＭＥ１からＵＥのユーザー・コンテキスト（ＵＥ  Ｃｏｎｔｅｘｔ）を取得してから、ＵＥにより提供されたＴＡ ＩＤとＭＭＥ１から取得したＵＥ  Ｃｏｎｔｅｘｔ情報により、ＵＥに新たなトラッキング・エリア・リストを割り当てる。ゆえに、本発明の実施形態にかかる提案は次のようになる。ＭＭＥ１は最新ＴＡ  Ｌｉｓｔを割り当てる際の幾つかの履歴情報をＭＭＥ１に記憶されたＵＥ  Ｃｏｎｔｅｘｔに追加し及び、ＵＥによりＭＭＥ２に送信したＴＡ ＩＤを制限し、ＭＭＥ２がＵＥ Ｃｏｎｔｅｘｔ中の履歴情報及び限定されたＴＡ ＩＤに基づいてＵＥにより適当なトラッキング・エリア・リストを割り当てられるようになる。
【００２０】
以下、各図面を関連して本発明の実施形態の実現原理、具体的な実施方法及び有益な効果を詳細に説明する。
【００２１】
本発明の実施構想は、上記上記ユーザ端末が予めの制限により送信したエリア標識を受信するステップと、最新のトラッキング・エリア・リストを割り当てるモビリティ制御エンティティから、当該最新のトラッキング・エリア・リストを割り当てる際の履歴情報を取得するステップと、取得した履歴情報と上記受信したエリア標識により、上記ユーザ端末に新たなトラッキング・エリア・リストを割り当てるステップとを含むものである。
【００２２】
そのうち、上記履歴情報はＵＥの移動したエリア、移動スピード及び現在移動の方向などの要素を判断するための情報であり、最新のトラッキング・エリア・リスト（以下はＴＡ Ｌｉｓｔを例として説明する）、最新のＴＡ Ｌｉｓｔの割り当て時刻、最新のＴＡ  Ｌｉｓｔを割り当てる際にＵＥが所在するＴＡのＴＡ  ＩＤなどの情報を含むが、それに限れない。
【００２３】
また、現在の技術において、ＭＭＥが受信したＴＡ ＩＤはＵＥの次の移動エリアを判断するのに不利であるため、本発明の実施形態では、ＵＥから受信したＴＡ ＩＤを以下のように制限する。ＵＥから送信されたＴＡ ＩＤは、割り当てられた最新のＴＡ Ｌｉｓｔにある一つの特定のＴＡ ＩＤに制限する。例えば、最新のＴＡ Ｌｉｓｔがカバーするエリアを最後に訪問する際、ＵＥが所在するＴＡのＴＡ ＩＤ、即ち最後訪問登録エリア標識（Ｌａｓｔ  Ｖｉｓｉｔｅｄ  Ｒｅｇｉｓｔｅｒｅｄ  ＴＡＩ）など。
【００２４】
ＵＥ ＣｏｎｔｅｘｔがＭＭＥに含まれるため、ＭＭＥがＵＥにＴＡ Ｌｉｓｔを割り当てた後、自身に記憶しているＵＥ Ｃｏｎｔｅｘｔに上記履歴情報を追加できる。以下は、ＭＭＥがＵＥ Ｃｏｎｔｅｘｔに履歴情報を追加する幾つかの実例を説明するものである。具体的な実施プロセスにおて、実際の状況に応じて他の要素を履歴情報として追加してもよい。
【００２５】
ＵＥにＴＡ  Ｌｉｓｔを割り当てた後、ＭＭＥ１は割り当てたＴＡ  Ｌｉｓｔ、割り当て時刻、割り当てる際のＴＡ  Ｌｉｓｔの所在するＴＡのＴＡ  ＩＤを当該ＵＥに対応するＵＥ  Ｃｏｎｔｅｘｔに追加する。
【００２６】
ＵＥにＴＡ  Ｌｉｓｔを再割り当てる必要がある際、ＭＭＥ２はまずＭＭＥ１に記憶されているＵＥ Ｃｏｎｔｅｘｔの中から当該割り当て時刻を取得し、現在時刻とＭＭＥ１が最新のＴＡ  Ｌｉｓｔを割り当てる際の時間間隔を計算し及び、ＵＥ  Ｃｏｎｔｅｘｔから取得された当該ＴＡ  Ｌｉｓｔを割り当てる際にＵＥが所在するＴＡのＴＡ ＩＤにより、現在ＵＥが所在するＴＡとＭＭＥ１が最新のＴＡ  Ｌｉｓｔを割り当てる際にＵＥが所在するＴＡの距離を判断する。
【００２７】
その後、ＭＭＥ２は上記判断された時間間隔と距離に基づき、ＵＥの移動スピードを概算できる。比較的に短い時間間隔内において、ＵＥが比較的に長い距離を移動すれば、ＵＥの移動スピードが大きいことが判断でき、ＵＥにカバー範囲が大きいＴＡ  Ｌｉｓｔを割り当てられる。逆に、比較的に長い時間間隔内において、ＵＥが比較的に短い距離を移動すれば、ＵＥの移動スピードが小さいことが判断でき、ＵＥにカバー範囲が小さいＴＡ  Ｌｉｓｔを割り当てられる。
【００２８】
ＵＥは、ＭＭＥ１が最新のＴＡ  Ｌｉｓｔを割り当てる際に所在するＴＡから直接に現在所在するＴＡに移動しない可能性がある（例えば、あるＴＡに繰り返し入る可能）ので、上記の方法で判断されたＵＥの移動スピードには誤差が存在する可能性がある。この時、ＭＭＥ１から割り当てられた最新のＴＡ  Ｌｉｓｔにより当該スピードを調整でき、誤差を減少する。例えば、割り当てられた最新のＴＡ  Ｌｉｓｔに参照して、重み付け因子を確定し、その重み付け因子を当該スピードにかけることにより、当該スピードの誤差を減少する。ゆえに、ＭＭＥ１から割り当てられた最新のＴＡ  ＬｉｓｔもＵＥ  Ｃｏｎｔｅｘｔに追加する必要がある。ＭＭＥ１から割り当てられた最新のＴＡ  Ｌｉｓｔの参照の価値は上記上記取得された時間間隔と関連がある。一般的に、当該時間間隔が小さければ小さいほど、割り当てられた最新のＴＡ  Ｌｉｓｔが参照できるようにる。逆に、当該時間間隔が大きければ大きいほど、割り当てられた最新のＴＡ  Ｌｉｓｔが参照できないようになる。例えば、上記取得された時間間隔が１週である場合、割り当てられた最新のＴＡ  Ｌｉｓｔが基本的に参照になれないため、ＵＥの移動スピードの概算に使用できない。上記取得された時間間隔が５分である場合、割り当てられた最新のＴＡ  ＬｉｓｔはＵＥの移動スピードの概算に参考として使用できる。
【００２９】
時間間隔を計算する際、ＭＭＥ２とＭＭＥ１の時刻が同期する必要がある。そうでなければ、算出した時間間隔は不正確である可能性がある。勿論、高精度のような同期ではなく、例えば、秒単位の時刻同期なら本発明に係る実施形態の要求を応えられる。既存の技術には時刻同期の方法がたくさんある。例えば、インターネット技術タスクフォース（ＩＥＴＦ、Ｉｎｔｅｒｎｅｔ  Ｅｎｇｉｎｅｅｒｉｎｇ  Ｔａｓｋ  Ｆｏｒｃｅ）が定義したネットワーク・タイム・プロトコル（ＮＴＰ、Ｎｅｔｗｏｒｋ  Ｔｉｍｅ  Ｐｒｏｔｏｃｏｌ）に基づき、秒単位の時間同期が実現できる。
【００３０】
ＭＭＥ２が時間間隔の変化範囲により、割り当てられた最新のＴＡ  Ｌｉｓｔを参照してＵＥに新たなＴＡ  Ｌｉｓｔを割り当てる必要性を判断できるようにするため、次のような規定が設けられる。取得された時間間隔が所定の時間間隔の以下であれば、ＭＭＥ２は割り当てられた最新のＴＡ  Ｌｉｓｔを参照してＵＥに新たなＴＡ  Ｌｉｓｔを割り当てる。他の時間間隔の場合、ＭＭＥ１から割り当てられた最新のＴＡ  Ｌｉｓｔを参照しない。当該通信事業者は多様な方法で自ら当該所定の時間間隔を設定できる。例えば、所定の時間間隔をＮ＊ＭＲＣ＿Ｔｉｍｅｒと設定し、そのうち、Ｎは自然数であり、ＭＲＣ＿ＴｉｍｅｒはＵＥの到達可能タイマーが設定された時刻パラメターである。通信事業者は実際の状況によりＮとＭＲＣ＿Ｔｉｍｅｒの値を設定できる。
【００３１】
上記の履歴情報以外に、ＵＥの移動経路も新たなＴＡ Ｌｉｓｔを割り当てる際の重要な参考情報である。現在、ＵＥがＭＭＥに一つのＴＡ ＩＤしか送信できないため、当該一つのＴＡ ＩＤによりＵＥの精確の移動経路を取得することが不可能である。しかし、ＵＥから送信されたＴＡ ＩＤに制限条件をつけることにより、即ちあるＵＥの移動方向の判断に有利な特定ＴＡ ＩＤを送信することを規定する。例えばＵＥが最後にＭＭＥ１から割り当てられた最新のＴＡ  Ｌｉｓｔを訪問した際に所在するＴＡのＴＡ ＩＤ、即ち最後訪問登録エリア標識を送信することを規定する。そうすると、ＭＭＥ２はＵＥから送信された当該ＴＡ ＩＤと、ＵＥの現在所在するＴＡのＴＡ ＩＤに基づき、ＵＥの移動方向を判断する。その実現方法は次のようになる。ＵＥは割り当てられた最新のＴＡ  Ｌｉｓｔがカバーするエリア内で移動する際、ＴＡ更新が行わないが、毎回の所在するＴＡのＴＡ ＩＤを自身の加入者識別モジュール（ＵＳＩＭ）或いは非揮発性記憶装置に記憶する。その時、前のＴＡ ＩＤを記憶していれば、当該前のＴＡ ＩＤを変更する。そうすると、ＵＥがＴＡ更新を行う際、ＵＥ内の最新記憶は最新のＴＡ  Ｌｉｓｔを最後に訪問する際にＵＥが所在するＴＡのＴＡ  ＩＤである。ＭＭＥ２はＵＥから送信された当該ＴＡ  ＩＤを受信した後、当該ＴＡ  ＩＤ及びＵＥの現在所在するＴＡのＴＡ  ＩＤに基づき、ＵＥの移動方向を判断し、ＵＥに新たなより適当なＴＡ  Ｌｉｓｔを割り当てることに有利である。
【００３２】
図１は本発明の実施形態に係るＴＡ Ｌｉｓｔを示した図である。以下、図１に基づき、具体的な実施例によりＴＡ  Ｌｉｓｔの割り当てプロセスを説明する。
【００３３】
ＵＥがＴＡ１に入る際、ＭＭＥ１はまずＵＥに「ＴＡ１、ＴＡ２…ＴＡ６」である一つのＴＡ  Ｌｉｓｔを割り当てる。その次、ＭＭＥ１は割り当てられたＴＡ  Ｌｉｓｔ、当該ＴＡ  Ｌｉｓｔの割り当て時刻、及び当該ＴＡ  Ｌｉｓｔを割り当てる際のＵＥが所在するＴＡのＴＡ  ＩＤ（即ちＴＡ１）を当該ＵＥに対応するＵＥ  Ｃｏｎｔｅｘｔに追加する。また、ＵＥは現在自身が所在するＴＡのＴＡ  ＩＤ（ＴＡ１）を自身のＵＳＩＭ、或いは非揮発性記憶装置に記憶し、割り当てられたＴＡ  ＬｉｓｔをＵＥの非揮発性記憶装置（例えばメモリ）に記憶する。
【００３４】
そのうち、ＵＥが接続解除された（例えばシャットダウン）後、再びネットワークに接続された際、ネットワークはＵＥに新たなＴＡ  Ｌｉｓｔを割り当てる。ゆえに、好ましくは、本発明に係る実施形態は割り当てられたＴＡ  ＬｉｓｔをＵＥの揮発性記憶装置に記憶する。即ち、ＵＥが接続解除後、当該ＴＡ  Ｌｉｓｔを記憶しない。勿論、当該ＴＡ  ＬｉｓｔをＵＥの非揮発性記憶装置に記憶しても良い。
【００３５】
ＵＥがＴＡ１を離れた後、ＵＥはまず自身が入ったＴＡのＴＡ ＩＤは割り当てられた最新のＴＡ  Ｌｉｓｔに存在するか否かを判断し、存在する場合、ＵＥはＴＡ更新を行わなく、当該移動して入った最新のＴＡのＴＡ  ＩＤを自身の加入者識別モジュール或いは非揮発性記憶装置に記憶し、元のＴＡ１と入れ替える。ＵＥは移動して入ったＴＡのＴＡ ＩＤが割り当てられた最新のＴＡ  Ｌｉｓｔに存在しないと判断した場合、ＴＡ更新を行う。ＴＡ更新が完成された後、ＵＥは移動して入ったＴＡのＴＡ ＩＤを自身の加入者識別モジュール或いは非揮発性記憶装置に記憶する。
【００３６】
例えば、ＴＡ２に移動する際、ＵＥはＴＡ２が割り当てられた最新のＴＡ  Ｌｉｓｔに存在すると判断でき、ＴＡ更新を行わない、且つ現在所在するＴＡのＴＡ  ＩＤ（ＴＡ２）を自身の加入者識別モジュール或いは非揮発性記憶装置に記憶し、ＴＡ１と入れ替える。
【００３７】
ＵＥがまたＴＡ３に移動する際、上記プロセスと類似する。ＵＥがＴＡ３を自身の加入者識別モジュール或いは非揮発性記憶装置に記憶し、ＴＡ２と入れ替える。
【００３８】
ＵＥが引き続きＴＡ７に移動する際、ＴＡ７が割り当てられた最新のＴＡ  Ｌｉｓｔ（ＴＡ１〜ＴＡ６）に存在しないと判断した後、ＭＭＥ２にＴＡ更新リクエスト（Ｕｐｄａｔｅ  Ｒｅｑｕｅｓｔ）のメッセージを送信し、当該メッセージには、自身の加入者識別モジュール或いは非揮発性記憶装置に記憶されたＴＡ  ＩＤ（ＴＡ３）、及び臨時移動局アイデンティティ（Ｓ−ＴＭＳＩ、ＥＰＳ  Ｔｅｍｐｏｒａｒｙ  Ｍｏｂｉｌｅ  Ｓｔａｔｉｏｎ  Ｉｄｅｎｔｉｔｙ）が含まれる。
【００３９】
ＭＭＥ２はＵＥから送信されたＴＡの更新リクエストメッセージを受信後、まず当該メッセージの中に含まれたＴＡ３及びＳ−ＴＭＳＩに基づき、ＭＭＥ１の位置を確定し、それからＭＭＥ１より当該ＵＥのＵＥ  Ｃｏｎｔｅｘｔを取得し、最後に当該ＵＥ  Ｃｏｎｔｅｘｔの中に、割り当てられた最新のＴＡ  Ｌｉｓｔ（ＴＡ１〜ＴＡ６）、割り当て時刻、及び当該ＴＡ  Ｌｉｓｔを割り当てる際にＵＥが所在するＴＡのＴＡ ＩＤ（ＴＡ１）を取得する。
【００４０】
そのうち、ＭＭＥ２がＭＭＥ１と物理的に同じＭＭＥ実体であれば、ＵＥから送信されたＴＡ更新リクエストメッセージを受信後、ＭＭＥ２はまず当該メッセージに含まれたＳ−ＴＭＳＩによりＭＭＥ１の位置を確定し、当該ＭＭＥ１において、当該ＵＥに対応するＵＥ  Ｃｏｎｔｅｘｔを検索する。それから、割り当てられた最新のＴＡ  Ｌｉｓｔ（ＴＡ１〜ＴＡ６）、割り当て時刻、及び当該ＴＡ  Ｌｉｓｔを割り当てる際にＵＥが所在するＴＡのＴＡ ＩＤ（ＴＡ１）を取得する。
【００４１】
最後、ＭＭＥ２は上記取得された履歴情報に基づき、ＵＥに新たなＴＡ  Ｌｉｓｔを割り当てる。その具体的な実現プロセスは以下のようになる。
【００４２】
ＭＭＥ２はまず現在時刻と取得されたＭＭＥ１が最新のＴＡ  Ｌｉｓｔを割り当てる際の時刻に基づき、現在時刻とＭＭＥ１が最新のＴＡ  Ｌｉｓｔを割り当てる際の時刻の時間間隔を計算し、所定の時間間隔より小さいか否かを判断する。小さい場合、取得されたＴＡ  Ｌｉｓｔを参考し、ＵＥに新たなＴＡ  Ｌｉｓｔを割り当てる。そうではない場合、ＵＥに新たなＴＡ  Ｌｉｓｔを割り当てない。ここでは、算出した当該時間間隔が所定の時間間隔より小さいと仮定するので、本実施例では、上記取得されたＴＡ  Ｌｉｓｔを考慮しなければならない。
【００４３】
その後、ＭＭＥ２はＴＡ１とＴＡ７の距離（当該距離は通信事業者が設定した関連パラメターにより算出できる）、および上記算出した時間間隔に基づき、ＵＥの移動スピードを概算し、前期取得されたＴＡ  Ｌｉｓｔにより、重み付け因子を確定し、当該確定された重み付け因子に基づき、概算されたスピードに対して調整を行い、より正確的な移動スピードを計算する。
【００４４】
調整後のスピードが比較的に高い場合、ＵＥに比較的に大きいエリアを割り当てる。そうでなければ、ＵＥに比較的に小さいエリアを割り当てる。本実施例では、ＵＥのスピードが比較的に低いと仮定するので、ＭＭＥ２はＵＥに比較的に小さいエリアを割り当てる。例えば３つのＴＡ。
【００４５】
その次、ＭＭＥ２はＴＡ３とＴＡ７により、ＵＥの移動方向がＴＡ３からＴＡ７に向かう斜め移動であることを判断し、当該方向においてＵＥに移動エリアを割り当てる。
【００４６】
以上のことを纏め、ＭＭＥ２はＵＥに「ＴＡ３、ＴＡ７、ＴＡ８」という新たなＴＡ  Ｌｉｓｔを割り当て、ＴＡ  Ｌｉｓｔ２として記録する。
【００４７】
ＭＭＥ２はＵＥにＴＡ  Ｌｉｓｔ２を割り当てた後、割り当てたＴＡ  Ｌｉｓｔ２、割り当て時刻、及び当該ＴＡ  Ｌｉｓｔ２を割り当てる際にＵＥが所在するＴＡのＴＡ  ＩＤ（即ちＴＡ７）をＵＥ  Ｃｏｎｔｅｘｔに追加し、元の履歴情報と入れ替える。
【００４８】
また、ＵＥはＴＡ７が現在の（即ち、最新の割り当てられた）ＴＡ  Ｌｉｓｔ２に所在することを判断し、ＴＡ７を自身の加入者識別モジュール或いは非揮発性記憶装置に記憶し、ＴＡ３と入れ替える。ＴＡ  Ｌｉｓｔ２をメモリに記録し、ＭＭＥ１から割り当てられた前のＴＡ  Ｌｉｓｔと入れ替える。
【００４９】
ここまで、一回のＴＡ  Ｌｉｓｔ再割り当てプロセスが完了した。
【００５０】
上記ＴＡ  Ｌｉｓｔの割り当て方法に基づき、本発明の実施形態はモビリティ制御エンティティを提供した。図２は本発明の実施形態に係るＭＭＥの構造を示した図である。図２に示すように、当該ＭＭＥ１０は、
ＵＥから予めの制限に基づき送信されたＴＡ  ＩＤを受信するエリア標識受信ユニット１１と、
最新のＴＡ  Ｌｉｓｔを割り当てるＭＭＥの中に、当該最新のＴＡ  Ｌｉｓｔを割り当てるときの履歴情報を取得する履歴情報取得ユニット１２と、
取得された履歴情報と受信されたＴＡ  ＩＤにより、当該ＵＥに新たなＴＡ  Ｌｉｓｔを割り当てるエリア・リスト割り当てユニット１３と、
を含む。
【００５１】
上記履歴情報は割り当てられた最新のＴＡ  Ｌｉｓｔ、当該ＴＡ  Ｌｉｓｔの割り当て時刻、及び当該ＴＡ  Ｌｉｓｔが割り当てられる際にＵＥが所在するＴＡのＴＡ  ＩＤである場合、エリア・リスト割り当てユニット１３は、当該割り当て時刻と当該ＴＡ  Ｌｉｓｔが割り当てられた際のＴＡ  ＩＤに基づき、ＵＥの移動スピードを概算できる。また、ＵＥが現在所在するＴＡのＴＡ  ＩＤ、及びＵＥから送信されたＴＡ  ＩＤに基づき、ユーザ端末の移動方向を確定できる。
【００５２】
以上を踏まえ、エリア・リスト割り当てユニット１３は具体的に、
ユーザ端末が現在所在するエリアのエリア標識及び、ユーザ端末から送信されたエリア標識により、ユーザ端末の移動方向を確定することに用いられるサブユニットと、
取得された履歴情報によりユーザ端末の移動スピードを概算することに用いられるサブユニットと、
確定されたユーザ端末の移動方向及び、概算されたユーザ端末の移動スピードにより、ユーザ端末に新たなラッキング・エリア・リストを割り当てることに用いられるサブユニットと
を含む。
【００５３】
そのうち、取得された履歴情報により、ＵＥの移動スピードを概算するサブユニットは、
現在時刻と最新のトラッキング・エリア・リストを割り当てるときの割り当て時刻との時間間隔を計算するサブユニットと、
ユーザ端末が現在所在するエリアのエリア標識、及び最新のトラッキング・エリア・リストを割り当てる際にユーザ端末が所在するエリアのエリア標識により、ユーザ端末が現在所在するエリアと最新のトラッキング・エリア・リストを割り当てるときにユーザ端末が所在するエリアとの距離を計算するサブユニットと、
を含む。
【００５４】
また、ＵＥが割り当てられた最新のＴＡ  Ｌｉｓｔがカバーするエリア内で移動するとき、同一のＴＡに繰り返し入るかもしれないので、上記の割り当て時刻、割り当てるときにＵＥが所在するＴＡのＴＡ  ＩＤにより概算されたＵＥの移動スピードには誤差が存在する可能性がある。ゆえに、上記取得された履歴情報によりＵＥの移動スピードを概算するサブユニットは、当該最新のＴＡ  Ｌｉｓｔにより当該スピードを調整する必要があるかもしれない。
【００５５】
しかし、割り当てられた最新のＴＡ  Ｌｉｓｔの参考価値は、当該ＴＡ  Ｌｉｓｔの割り当て時刻・現在時刻の時間間隔と反比例関係となっているため、当該時間間隔を計算し、当該ＴＡ  Ｌｉｓｔの参考価値を判断してから、上記移動スピードをより正確的に調整する。上記取得された履歴情報により、ＵＥの移動スピードを概算するサブユニットは、
【００５６】
上記算出された時間間隔が所定の時間間隔より小さいであるかどうかを判断するステップと、
上記算出された時間間隔が所定の時間間隔より小さい場合、ユーザ端末に割り当てられた最新トラッキング・エリア・リストに基づいて、ユーザ端末の移動スピードを調整する重み付け因子を確定するステップと、
上記確定された重み付け因子により概算されたユーザ端末の移動スピードを調整するステップと
を更に含む。
【００５７】
そのうち、所定の時間間隔は実際の実施状況により設定できる。Ｎ＊ＭＲＣ＿Ｔｉｍｅｒと設定できるが、その限りではない。そのうち、Ｎは自然数であり、ＭＲＣ＿ＴｉｍｅｒはＵＥの到達可能タイマーが設定した時刻パレメターである。
【００５８】
また、ＵＥにＴＡ  Ｌｉｓｔを割り当てた後、ＭＭＥは関連する履歴情報を上記上記ユーザ端末に対応するＵＥ  Ｃｏｎｔｅｘｔに記憶する必要がある。
【００５９】
本発明の実施形態はＵＥも提供した。図３は本発明の実施形態に係るＵＥの構造を示した図である。図面に示すように、当該ＵＥ２０は、
ユーザ端末が現在所在するエリアのエリア標識、及びモビリティ制御エンティティに割り当てられたトラッキング・エリア・リストを受信する受信ユニット２１と、
受信ユニット２１が受信したトラッキング・エリア・リストにより、モビリティ制御エンティティに割り当てられたトラッキング・エリア・リストを記憶・更新するエリア・リスト情報記憶・更新ユニット２２と、
ユーザ端末が割り当てられた最新のトラッキング・エリア・リストがカバーするエリア内で移動するとき、受信ユニット２１が毎回受信されたエリア標識により、ユーザ端末が現在所在するエリアのエリア標識を記憶・更新するエリア標識記憶・更新ユニット２３と、
モビリティ制御エンティティに対して上記エリア標識記憶・更新ユニット２３が記憶・更新したエリア標識を送信する送信ユニット２４と、
を含む。
【００６０】
そのうち、上記エリア・リスト情報記憶・更新ユニット２２が記憶・更新したＴＡ  ＬｉｓｔはＵＥの揮発性記憶装置、例えばメモリ、或いは非揮発性記憶装置に記憶できる。しかし、接続解除、或いはシャットダウンされた後、当該ＴＡ  Ｌｉｓｔが必要としないため、受信されたＴＡ  ＬｉｓｔをＵＥの揮発性記憶装置、例えばメモリに記憶することが好ましい。ＵＥがシャットダウンされた後、記憶されたＴＡ  Ｌｉｓｔが自動的になくなる。
【００６１】
当該ＴＡ  Ｌｉｓｔが揮発性記憶装置と非揮発性記憶装置のどちらに記憶されても、ＵＥは当該ＴＡ  Ｌｉｓｔを削除或いは失効と標識できるし、当該ＴＡ  Ｌｉｓｔを利用しなくなる。この時、対応的に、上記エリア・リスト情報記憶・更新ユニット２２は具体的に、
上記トラッキング・エリア・リストを揮発性記憶装置、或いは非揮発性記憶装置に記憶するサブユニットと、
上記ユーザ端末が接続解除或いはシャットダウンする際、上記揮発性記憶装置、或いは非揮発性記憶装置に記憶されたトラッキング・エリア・リストを失効状態と標識、或いは削除するサブユニットと、
を含む。
【００６２】
上記エリア標識記憶・更新ユニット２３は当該ＴＡ  ＩＤをＵＥの加入者識別モジュール或いは非揮発性記憶装置に記憶できる。
【００６３】
本明細書では上述した実施例を参照し本発明を詳しく解説したが、当業者により、上述した技術的な解決手段を改造し、またはその中の一部の技術要素を置換することもできる。そのような改造と置換は本発明の各実施例の技術の範囲から逸脱するとは見なされない。
【図１】
2010536282.tif 000003
【図２】
2010536282.tif 000004
【図３】
2010536282.tif 000005
【国際調査報告】
2010536282.tif 000006
2010536282.tif 000007
2010536282.tif 000008
2010536282.tif 000009
2010536282.tif 000010
2010536282.tif 000011
2010536282.tif 000012
2010536282.tif 000013